(57)【要約】      （修正有）【課題】冷蔵庫の設定ボタンを押した後、時間度数を元に戻す補正ができ、また、ベッドの移動でも、新たな床頭台の冷蔵庫に使用残時間だけを移すことができるカードタイマー装置を提供する。【解決手段】テレビや冷蔵庫をプリペイドカードを利用して、使用時間に対して課金し制御するカードリーダー部を設けた課金装置において、プリペイドカードが挿入されている場合は、使用者がカードタイマー部によって冷蔵庫の使用時間を任意に設定して予め課金し、プリペイドカードが挿入されていない場合に残時間を操作するための移動カードを挿入して、カードタイマー部に冷蔵庫の使用する残時間が有る場合には、その残時間のデータを移動カードに移行し残時間のデータを０にし、逆に、カードタイマー部に冷蔵庫の使用する残時間が無い場合で移動カードに残時間が有る場合には、該残時間のデータをカードタイマー部に移行する冷蔵庫の課金を操作するカードタイマー装置。【選択図】図３
2014182526.tif 000002
【特許請求の範囲】
【請求項１】
テレビ及び冷蔵庫をプリペイドカードを利用して、使用時間に対して課金し制御するカードリーダー部を設けた課金装置において、プリペイドカードが挿入されている場合は、使用者がカードタイマー部によって冷蔵庫の使用時間を任意に設定して予め課金し、カードタイマー部にプリペイドカードが挿入されていない場合に残時間を操作するための移動カードをカードタイマー部に挿入して、カードタイマー部に冷蔵庫の使用する残時間が有る場合にはその残時間のデータを移動カードに移行してそのカードタイマー部の残時間のデータを０にし、逆に、カードタイマー部に冷蔵庫の使用する残時間が無い場合で移動カードに残時間が有る場合には該残時間のデータをカードタイマー部に移行することを特徴とする冷蔵庫の課金を操作するカードタイマー装置。
【請求項２】
前記プリペイドカードが挿入されている場合に、使用者がカードタイマー部によって冷蔵庫の使用時間を任意に設定して予め課金するのに際し、カードタイマー部では設定した後の所定の時間内には設定内容を取り消すことが可能としたことを特徴とする請求項１に記載の冷蔵庫の課金を操作するカードタイマー装置。
【発明の詳細な説明】
【技術分野】
【０００１】
本発明は、病院、ホテル、老人ホーム、介護施設等の施設に設置される冷蔵庫やテレビの利用時に課金を行うカードタイマー装置に関するもので、特に、冷蔵庫の課金を操作するカードタイマー装置である。
【背景技術】
【０００２】
病院の入院病室、あるいは、ホテルの客室などでは、部屋に設置されたテレビ、冷蔵庫、洗濯機、乾燥機等の電化製品や電話設備などの使用に際し、課金情報を記憶したプリペイドカードによる課金管理が行われている。利用者は、売店、自動販売機などでプリペイドカードを購入し、テレビ、冷蔵庫などの課金管理を行うカードタイマー装置に挿入することで、カードタイマー装置に制御される電化製品を利用することが可能となる。このカードタイマー装置では、テレビ、冷蔵庫などの稼働状況を監視し、所定時間毎にプリペイドカードに記憶されている課金情報を減額する課金処理を実行する。
【０００３】
特許文献１には、テレビとＤＶＤ装置など利用する２つの電気機器に対して、それぞれ異なる課金料率を設定して同時に制御することができるカードタイマー装置について開示されている。
また、特許文献２には、このようなカードタイマー装置について、テレビの稼働発光ダイオードの発光を検知することで、テレビ用の課金の度数を減算することが開示されている。このカードタイマー装置では、消費電力が異なるテレビの機種であっても、テレビの稼働と待機状態を的確に検出することができる。また、特許文献２には、同じプリペイドカードを使用することで、テレビの稼働に対する課金、冷蔵庫の稼働に対する課金を行うことについても開示されている。
【０００４】
また、特許文献３には、カードタイマー装置の課金情報を減額して電源供給手段に電源供給させる第１処理と、カード読み取り手段に装着された外部カードが、個室などの特別室では冷蔵庫、テレビなどの利用を無料にする無料カードを使用し、制御対象機器が無料で利用可能としている装置が開示されいる。
【０００５】
従来、少なくともテレビと冷蔵庫を制御するカードタイマー装置において、テレビと冷蔵庫の課金は料金の対象時間も異なり、冷蔵庫については、長時間連続して稼働させる必要性から１回の操作での設定時間もテレビよりは長く、課金の比較的安価設定されている。
通常、例えば、図１に示すように、Ｓa(ステップa)で冷蔵庫の稼働時間の設定ボタンを１回押す(１秒以上押す)毎に、Ｓb(ステップｂ)でカードタイマー内の冷蔵庫課金処理システムにより２００円課金され２４時間電源供給が行われ、同様に、２回押すと２４時間追加され４８時間使用が可能、３回、４回までの９６時間となるように設定され、冷蔵庫の使用途中でも追加が可能で最大で９９時間まで使用できるように設定されている。ただし、一度課金してしまうともとに戻すことができない。
そのため、冷蔵庫の設定ボタンを誤って押してしまい、時間度数を元に戻して欲しいなどのクレームがあり、従来のカードタイマー装置ではこのクレームに対して冷蔵庫の時間の度数の変更ができないといった不都合があった。また、病院では同一使用者のベッド移動があり、冷蔵庫の残時間を移動させようとすると、床頭台ごとの移動が必要となってしまうという不都合があった。
【先行技術文献】
【特許文献】
【０００６】
【特許文献１】特開２００７−２９９２１８号公報
【特許文献２】特開２００６−１８６８２７号公報
【特許文献３】特開２０１２−２０８５５２号公報
【発明の概要】
【発明が解決しようとする課題】
【０００７】
本発明の解決しようとする問題点は、上述した不都合を解消し、冷蔵庫の設定ボタンを押した後の所定時間内であれば、時間度数を元に戻す補正ができるようにするとともに、病院では同一使用者のベッドの移動でも冷蔵庫を移動することなく、新たな床頭台の冷蔵庫の使用時間だけを移すことができるカードタイマー装置を提供しようとするものである。
【課題を解決するための手段】
【０００８】
上記の課題を解決するために、請求項１の発明は、テレビ及び冷蔵庫をプリペイドカードを利用して、使用時間に対して課金し制御するカードリーダー部を設けた課金装置において、プリペイドカードが挿入されている場合は、使用者がカードタイマー部によって冷蔵庫の使用時間を任意に設定して予め課金し、カードタイマー装置にプリペイドカードが挿入されていない場合に残時間を操作するための移動カードをカードタイマー部に挿入して、カードタイマー部に冷蔵庫の使用する残時間が有る場合にはその残時間のデータを移動カードに移行してそのカードタイマー部の残時間のデータを０にし、逆に、カードタイマー部に冷蔵庫の使用する残時間が無い場合で移動カードに残時間のデータが有る場合には該残時間のデータをカードタイマー部に移行することを特徴とする冷蔵庫の課金を操作するカードタイマー装置である。
請求項２の発明は、
【発明の効果】
【０００９】
請求項１の発明によれば、テレビ及び冷蔵庫をプリペイドカードを利用して、使用時間に対して課金し制御するカードリーダー部を設けた課金装置において、病院では同一使用者のベッドを変えて移動しても冷蔵庫を移動することなく、今までの床頭台のカードタイマー装置に接続されていた冷蔵庫の使用残時間を、移行カードを用いて、新たな床頭台のカードタイマー装置に付属の冷蔵庫に使用時間を移すことができる。
更に、使用者がベッドを移動しない場合でも、テレビや保管庫等の故障等の理由で、現在利用している冷蔵庫が正常に稼働しているにもかかわらず、患者等の使用者が使用している床頭台を交換しなければならない場合にも有効である。すなわち、取り替える床頭台に付随してカードタイマー装置も新たなカードタイマー装置になるが、本発明によれば、それまでのカードタイマー装置での冷蔵庫の使用残時間を、移行カードを用いて新たなカードタイマー装置の冷蔵庫の使用時間として移すことができる。
また、請求項２の発明によれば、請求項１の発明の効果に加えて、冷蔵庫の設定ボタンを押した後の所定時間内であれば、時間度数を元に戻す補正ができるようにできる。
【図面の簡単な説明】
【００１０】
【図１】従来の冷蔵庫の課金を操作するカードタイマー装置のフローチャートの図、
【図２】本発明のカードタイマー装置を組み込んだ床頭台の斜視図、
【図３】本発明のカードタイマー装置の冷蔵庫の課金を操作する冷蔵庫課金処理システムのフローチャートの図である。
【発明を実施するための形態】
【００１１】
本発明の好適な冷蔵庫の課金を操作するカードタイマー装置の実施例を図面に沿って説明する。
本実施例のカードタイマー部２は、図２に示すように、ホテル、老人ホーム、介護施設等の施設に配置される床頭台１に組み込まれ、この床頭台１に組み込まれたカードタイマー部２にはテレビ２１、冷蔵庫２２などの制御系が接続され、このカードタイマー部２により課金情報を記憶するプリペイドカード３による課金管理が行われている。利用者は、売店、自動販売機などでプリペイドカード３を購入し、テレビ２１、冷蔵庫２２などの課金管理を行うカードタイマー部２のカード挿入口２３にプリペイドカード３を挿入することで、カードタイマー部２に制御されるテレビ２１や冷蔵庫２２を利用することが可能となる。
【００１２】
図２、図３に示すカードタイマー装置のカードタイマー部２は、有料のプリペイドカードであるテレビカード３を挿入し、テレビ２１、冷蔵庫２２などの稼働状況を監視するもので、テレビカード３の他に看護師等が使用する無料で操作できる移行カード４も用意され、これらを用いて、カードタイマー部２の冷蔵庫２２に課金する冷蔵庫課金処理システム２５を抜粋したフローチャートの図である。
図３において、Ｓ１(ステップ１)で本課金システムをスタートさせると、先ず、Ｓ１１(ステップ１１)でカードタイマー部２のカード挿入口２３にカードを挿入すると、このカードがテレビカード３であると、テレビ２１が稼働できる状態であると同時に、Ｓ２(ステップ２)でカードの種類を判別し、テレビカード３であるとＳ２１(ステップ２１)で冷蔵庫２２についても稼働時間を設定できる状態となる。
Ｓ２１(ステップ２１)では、カードタイマー部２に設けられた冷蔵庫２２の稼働設定時間の冷蔵庫ボタン２２１を１秒以上続けて１回押すと、カードタイマー内の冷蔵庫課金処理システム２５(図３参照)により本実施例では２００円課金され２４時間電源供給が行われ、同様に、２回押すと２４時間追加され４８時間使用が可能、３回、４回までの９６時間となるように設定され、冷蔵庫の使用途中でも追加が可能で最大で９９時間まで使用できるように設定され、押してから５秒間設定内容の表示部２４の表示が点滅する。
【００１３】
次に、Ｓ２２(ステップ２２)に進むと、設定内容の表示部２４の表示が点滅している５秒以内に再度冷蔵庫ボタン２２１が１秒以上押されたか、もしくは、テレビカード３が抜かれたを検出し、５秒以内に再度冷蔵庫ボタン２２１が押された場合(Yes)、もしくは、テレビカード３が抜かれた場合(Yes)には、Ｓ２３(ステップ２３)に進み、表示部２４にＣＬキャンセル表示がされるのと同時に、課金システムでは課金を取り消す処理をし、Ｓ７(ステップ７)に進み終了する。
上述した例で、２回目を押すと２４時間追加され４８時間使用が表示部２４に表示され、その表示が５秒間点滅するが、点滅中に再度冷蔵庫ボタン２２１を１秒以上押すと、キャンセル表示がされて元の２００円課金された状態の２４時間使用可能であるとの表示がされる。表示部２４での点滅中にテレビカード３を抜いても同じ元の状態になる。
なお、この表示部２４を５秒間点滅するようにしたが、点滅時間の５秒は任意の時間に設定可能であるが、余り短くすると修正が間に合わない場合があり、余り長くすると、全体の操作時間が長くなるので、３〜１０秒程度がよい。
【００１４】
逆に、５秒以内には冷蔵庫ボタン２２１が押されない場合(No)、もしくは、テレビカード３が挿入されたままである場合(No)には、Ｓ２４(ステップ２４)に進み、５秒前に設定された稼働設定時間が決定し、カードタイマー部２内の冷蔵庫課金処理システム２５で冷蔵庫２２に対する課金処理がなされる。
このように、Ｓ２(ステップ２)からＳ２３(ステップ２３)又はＳ２４(ステップ２４)によって、所定の設定時間、本実施例では５秒間の表示部２４での表示点滅時にもう一度、冷蔵庫ボタン２２１を押すと、表示部２４にＣＬキャンセル表示がされるのと同時に、冷蔵庫２２に対する課金を取り消す処理をし、その結果、冷蔵庫２２の追加稼働に課金されず、冷蔵庫２２の電源も入らない。したがって、誤って押した場合でも課金のキャンセルが可能となる。
【００１５】
しかしながら、使用者が納得して冷蔵庫２２の長時間稼働設定をした場合でも、病院では同一使用者のベッドを移動する場合があり、冷蔵庫２２を内蔵した床頭台１をベッドとともに移動できれば問題は生じないが、通常、ベッドを移動する場合には使用者とベッドや床頭台１を共に移動することはない。この場合、ベッドの移動の時に床頭台１を移動させなくても、移動前のベッドのカードタイマー部２に冷蔵庫２２の残時間が有った場合に、例えば２０時間の残時間及びその表示があった場合に、移動後のベッドの次のカードタイマー部２に残時間の移動、例えば２０時間の移動が可能にするようにしたのが、本発明のカードタイマー装置の特徴でもある。
これは図３のＳ４(ステップ４)以降で実行するが、旧カードタイマー部２から残時間を引き出すステップはＳ４からＳ５で、残時間を新カードタイマー部２に移行するにはステップはＳ４からＳ６で処理する。
これを、図３に沿ってＳ４(ステップ４)以降を説明するが、Ｓ２(ステップ２)でカード挿入口２３に挿入されたカードがテレビカード３でないと(No)、更に、Ｓ４(ステップ４)で看護師等がカードタイマー部２を無料で操作できる移行カード４であるか否かを判別する。
ここで、テレビカード３でも移行カード４でもない場合(No)には、Ｓ７(ステップ７)に進み作業を終了(END)する。
【００１６】
Ｓ４(ステップ４)で挿入されたカードが移行カード４であると、Ｓ４１(ステップ４１)で、移行カード４に記憶された残時間のデータが０以上であるか否かを判断し、残時間が０以上でない場合(No）、すなわち残時間が０時間で何もデータがない移行カードである場合、言い換えれば、残時間が残っている旧カードタイマー部２に用いる場合には、Ｓ５(ステップ５)でカードタイマー部２の残時間のデータを移行カードに吸い取り、この旧カードタイマー部２の残時間を０にし、Ｓ５１(ステップ５１)で移行カードをカード挿入口２３から排出して、Ｓ７(ステップ７)に進み作業を終了(END)する。
Ｓ４１(ステップ４１)で、移行カード４に記憶されたデータの残時間が０以上である場合(Yes）、すなわちデータとして残時間がある移行カード４である場合、言い換えれば、新たな新カードタイマー部２に用いる場合には、Ｓ６(ステップ６)でカードタイマー部２の残時間のデータを移行カード４から供給し、移行カードの残時間を０にし、Ｓ６１(ステップ５１)で移行カードをカード挿入口２３から排出して、Ｓ７(ステップ７)に進み作業を終了(END)する。
上述したように、図３で、Ｓ５(ステップ５)とＳ６(ステップ６)とが同じフローチャートの図に記載しているが、Ｓ５(ステップ５)の工程は移動前の旧カードタイマー部２に対して有効に作動し、Ｓ６(ステップ６)の工程は移動後の新カードタイマー部２に対して有効に作動する。
【００１７】
ここで、有料のプリペイドカードであるテレビカード３は、従来のテレビ鑑賞用のプリペイドカードと同じであるが、移動カード４は、テレビカード３と同じ寸法でカードタイマー部２のカード挿入口２３に挿入排出でき、看護師等が使用する無料で操作できる移行カード(専用カード)４である仕様であり、カードタイマー部２の冷蔵庫課金処理システム２５における冷蔵庫２２の残時間の読み取り及び書き込みが可能となるようなアプリケーションおよびメモリーを有する仕様である必要がある。
【００１８】
以上のように、本発明の実施例によれば、カードタイマー部２の冷蔵庫２２の設定ボタン２２１を押した後の所定時間内であれば、時間度数を元に戻す補正ができるようにできる。
また、使用者のベッドの移動の時に、床頭台１を移動させなくても、移動先の冷蔵庫２２へ残時間の移動が可能であり、それまで使用していたカードタイマー部２と冷蔵庫２２の残時間が残っている状態、例えば、２０時間表示あった場合、冷蔵庫２２残時間吸い上げ用の専用カードの移動カード４を用いて、移動先の新カードタイマー部２に移動カード４で残時間の２０時間を移動させる。この結果、旧カードタイマー部２の冷蔵庫２２の残時間表示が消え、移動途中では移動カード４内に残時間の２０時間がある状態であるが、移動後の床頭台１の新カードタイマー部２のカード挿入口２３にその移動カード４を挿入し、残時間の２０時間データを移すので、新カードタイマー部２の表示部２４の冷蔵庫２２についての使用残時間が２０時間が表示され、新カードタイマー部２に接続された新たな冷蔵庫２２にも電源が入ることになる。
【００１９】
更に、使用者がベッドを移動しない場合でも、テレビや保管庫等の故障等の理由で、現在利用している冷蔵庫２２が正常に稼働しているにもかかわらず、患者等の使用者が使用している床頭台１を交換しなければならなくなる場合にも有効である。すなわち、取り替える床頭台１に付随してカードタイマー部２も新たなカードタイマー部２になるが、本発明によれば、それまでのカードタイマー部２での冷蔵庫２２の使用残時間を、移行カード４を用いて新たなカードタイマー部２の冷蔵庫２２の使用時間として移すことができる。
つまり、従来はカードタイマー部２に冷蔵庫２２の利用時間が残っていても、例えば３５時間も残時間があっても、カードタイマー部２を取り替えると、返金ができなかったり、新たなカードタイマー部２にそれまでの残時間の移動もできなかった。これに対処するには、メンテナンススタッフが、テレビカード３をわざわざ購入して、冷蔵庫２２の使用ボタンを押していた。また、２４時間の倍数以外の、例えば３５時間（２回押すと４８時間）を正確に移行することもできなかった。このため、従来ではテレビカード３の管理に不備と指摘されトラブルの原因となる。また、管理会社或いはリース会社としても、テレビカード３の売り上げより所定％での手数料を支払っているため、上記のテレビカード３の購入等を繰り返すと、その分が本来の売り上げではないので損をすることになるが、本発明の移行カード４の使用により、このような不都合も防ぐことができる。
【００２０】
なお、本発明の特徴を損なうものでなければ、上記の実施例に限定されるものでないことは勿論である。
【符号の説明】
【００２１】
１・・ 床頭台、
２・・ カードタイマー部(カードタイマー装置)、２１・・ テレビ、
２２・・冷蔵庫、２２１・・冷蔵庫ボタン、２３・・ カード挿入口、
２４・・表示部、２５・・冷蔵庫課金処理システム
３・・テレビカード(プリペイドカード)
４・・移行カード(専用カード)
【図１】
2014182526.tif 000003
【図２】
2014182526.tif 000004
【図３】
2014182526.tif 000005
【手続補正書】
【提出日】平成25年3月21日(2013.3.21)
【手続補正１】
【補正対象書類名】明細書
【補正対象項目名】０００８
【補正方法】変更
【補正の内容】
【０００８】
上記の課題を解決するために、請求項１の発明は、テレビ及び冷蔵庫をプリペイドカードを利用して、使用時間に対して課金し制御するカードリーダー部を設けた課金装置において、プリペイドカードが挿入されている場合は、使用者がカードタイマー部によって冷蔵庫の使用時間を任意に設定して予め課金し、カードタイマー装置にプリペイドカードが挿入されていない場合に残時間を操作するための移動カードをカードタイマー部に挿入して、カードタイマー部に冷蔵庫の使用する残時間が有る場合にはその残時間のデータを移動カードに移行してそのカードタイマー部の残時間のデータを０にし、逆に、カードタイマー部に冷蔵庫の使用する残時間が無い場合で移動カードに残時間のデータが有る場合には該残時間のデータをカードタイマー部に移行することを特徴とする冷蔵庫の課金を操作するカードタイマー装置である。
請求項２の発明は、請求項１に記載の冷蔵庫の課金を操作するカードタイマー装置において、前記プリペイドカードが挿入されている場合に、使用者がカードタイマー部によって冷蔵庫の使用時間を任意に設定して予め課金するのに際し、カードタイマー部では設定した後の所定の時間内には設定内容を取り消すことが可能としたことを特徴とする。